(57)【要約】【課題】訴求力を向上させることができる名刺を提供する。【解決手段】名刺１０は、人を特定する記載がある第１のシート１２と、画像が形成された第２のシート２６とが貼り合わせられて構成され、前記第１のシート１２の人を特定する部分が表れ、平面状に折り畳まれる第１の状態と、第２のシート２６に形成された画像が立体的に展開される第２の状態とに変化自在である。この名刺１０は、第１の状態と第２の状態とにそれぞれ保持させることができる。【選択図】図３
2011031573.tif 000002
【特許請求の範囲】
【請求項１】
人を特定する記載がある第１のシートと、画像が形成された第２のシートとが貼り合わせられて構成され、前記第１のシートの人を特定する部分が表れ、平面状に折り畳まれる第１の状態と、第２のシートに形成された画像が立体的に展開される第２の状態とに変化自在である名刺。
【請求項２】
前記第１の状態に保つ平面状態保持部をさらに有する請求項１記載の名刺。
【請求項３】
前記第２の状態に保つ立体状態保持部をさらに有する請求項１又は２記載の名刺。
【請求項４】
人を特定する記載がある第１のシートを用意する工程と、
画像が形成された第２のシートを用意する工程と、
前記第２のシートの立体的に展開する部分に切込みを入れる工程と、
前記第１のシートと前記第２のシートとを貼り合わせる第１の工程と、
を有する名刺の製造方法。
【発明の詳細な説明】
【技術分野】
【０００１】
本発明は、名刺に関する。
【背景技術】
【０００２】
名刺は、氏名、会社名のみならず、業務内容を表示することがあり、営業上の重要なツールとなっている。従来、名刺の記載内容を充実するために折り畳むようにして多数ページに渡って表示したり、あるいは特許文献１に示すように、可動表示部を設けるようにしたものが知られている。
【先行技術文献】
【特許文献】
【０００３】
【特許文献１】特開平９−３００８６１号公報
【発明の概要】
【発明が解決しようとする課題】
【０００４】
しかしながら、従来の名刺は平面的であるために表示効果が薄く、営業ツールとしては訴求力が小さいという課題があった。
【０００５】
本発明は、訴求力を向上させることができる名刺を提供することを目的としている。
【課題を解決するための手段】
【０００６】
上記目的を達成するため、本発明の第１の特徴とするところは、人を特定する記載がある第１のシートと、画像が形成された第２のシートとが貼り合わせられて構成され、前記第１のシートの人を特定する部分が表れ、平面状に折り畳まれる第１の状態と、第２のシートに形成された画像が立体的に展開される第２の状態とに変化自在である名刺にある。
【０００７】
第１の状態に保つ平面状態保持部をさらに設けることが好ましい。
【０００８】
また、第２の状態に保つ立体状態保持部をさらに設けることが好ましい。
【０００９】
本発明の第２の特徴とするところは、人を特定する記載がある第１のシートを用意する工程と、画像が形成された第２のシートを用意する工程と、前記第２のシートの立体的に展開する部分に切込みを入れる工程と、前記第１のシートと前記第２のシートとを貼り合わせる第１の工程と、を有する名刺の製造方法にある。
【発明の効果】
【００１０】
本発明によれば、立体的な表示が可能であるから名刺を差し出された者に対して強い印象を与えることができる。
【図面の簡単な説明】
【００１１】
【図１】本発明の実施形態に係る名刺であって第１の状態を示す平面図である。
【図２】本発明の実施形態に係る名刺であって第１の状態を示す底面図である。
【図３】本発明の実施形態に係る名刺であって第２の状態を示す斜視図である。
【図４】本発明の実施形態に係る名刺を製造するにあたって用意される第１のシートの平面図である。
【図５】本発明の実施形態に係る名刺を製造するにあたって用意される第２のシートの平面図である。
【図６】本発明の実施形態に係る名刺を製造するにあたって第１のシートと第２のシートを張り合わせた状態を示す平面図である。
【発明を実施するための形態】
【００１２】
次に本発明の実施形態を図面に基づいて説明する。
図１及び図２において、本発明の実施形態に係る名刺１０は、平面状に折り畳まれた第１の状態にある。名刺１０は、第１のシート１２を有する。この第１のシート１２には人（自然人及び法人を含む）を特定する記載がある。例えば名刺１０の表面には、会社名や会社の住所が記載された会社表示部１４と該会社の社員名が記載された社員名表示部１６とを有し、名刺１０の裏面には、会社の業務内容が表示された業務内容表示部１８を有する。
【００１３】
この名刺１０には、名刺１０を第１の状態に保つために平面状態保持部２０が設けられている。この平面状態保持部２０は、例えば、第１のシート１２の表面一端に第１のシート１２と一体に形成された第１の突出片２２と、第１のシート１２の裏面他端付近に形成された第１の溝２４とから構成され、第１の突出片２２が第１の溝２４に挿入されるようになっている。
なお、平面状態保持部２０は、この実施形態においては、第１の突出片２２と第１の溝２４とから構成されているが、本発明はこれに限定されるものではなく、例えば両面テープのように一時的な接着により、平面状態に保持するようにしてもよい。
【００１４】
図３において、本発明の実施形態に係る名刺１０は、立体的に展開された第２の状態にある。前述した第１のシート１２の内側には第２のシート２６が貼り合わせられている。この第２のシート２６は、第１のシート１２と略同じ外形を有する。第２のシート２６には、例えば業務内容表示部１８に記載された業務内容に関連する画像が形成されている。この実施形態においては、業務内容に住宅リフォームが記載され、第２のシート２６の画像は、業務内容に関連するものが立体的に展開され、例えばお客様に提案するリフォーム後の形態が立体的に表現されている。この実施形態においては、底面２８とこの底面２８から立ち上がる２つ側面３０，３０とから構成されている。底面２８と１つの側面３０とは直角に折り曲げられ、１つの側面３０と他の側面３０とは直角に折り曲げられ、他の側面３０と底面２８とは接離自在で直角となるように配置されている。また、底面２８には床が描かれ、側面３０，３０には内壁や窓が描かれている。
【００１５】
さらにこの実施形態においては、システムキッチン３２、テーブル３４及び食器棚３６が立体的に展開されている。システムキッチン３２とテーブル３４及び食器棚３６とのそれぞれの側部には切込み３８が入れられている。システムキッチン３２、テーブル３４及び食器棚３６は、切込み３８から離れて底面２８及び側面３０から立ち上がるように所定部分が折り曲げられている。
【００１６】
さらに名刺１０を第２の状態に保つために立体状態保持部４０が設けられている。この立体状態保持部４０は、例えば、第２のシート２６の他の側面３０の下端に第２のシート１２と一体に形成された第２の突出片４２と、第１のシート１２の裏面に形成された第２の溝４４とから構成され、第２の突出片４２が第２の溝４４に挿入されるようになっている。
なお、立体状態保持部４０は、この実施形態においては、第２の突出片４２と第２の溝４４とから構成されているが、本発明はこれに限定されるものではなく、例えば両面テープのように一時的な接着により、立体状態に保持するようにしてもよい。
【００１７】
次に上記名刺１０の作成方法（製造方法）について説明する。
まず図４及び図５に示す第１のシート１２と第２のシート２６とを用意する。第１のシート１２と第２のシート２６とはそれぞれ例えば紙から構成されている。
第１のシート１２は、名刺１０の外形とほぼ等しい３つの領域から構成されている。第１の領域４６は、折り畳んだ第１の状態における名刺１０の表面になる領域で、前述した会社表示部１４と社員名表示部１６とを有する。この第１の領域の端部に前述した第１の突出片２２が形成されている。第２の領域４８は、第１の領域３６の側方で第１の領域４６に続いて形成されている。この第２の領域４８は、折り畳んだ状態における名刺１０の裏面になる領域で、前述した業務内容表示部１８を有する。この第２の領域４８の端部付近に前述した第１の溝２４が形成されている。第３の領域５０は、第２の領域４８の下方で第２の領域４８に続いて形成されている。この第２の領域５０の端部付近に前述した第２の溝４４が形成されている。
【００１８】
第２のシート２６は、予め画像が印刷されており、第１のシート１２と同様に名刺１０の外形とほぼ等しい３つの領域から構成されている。第１の領域５２は、第１のシート１２の第１の領域４６に対応し、第２の領域５４は、第１のシート１２の第１の領域４８に対応し、第３の領域５６は、第１のシート１２の第３のシート５０に対応している。第１の領域５２の下端に前述した第２の突出片４２が形成されている。
【００１９】
次に、前述したシステムキッチン３２に相当する画像の両側、並びにテーブル３４及び食器棚３６の両側にそれぞれ切込み３８を入れる。この切込み３８は、第２の領域５４と第３の領域５４とに渡って形成される。
【００２０】
次に、図６に示すように、第１のシート１２と第２のシート２６とをそれぞれ対応する領域同士が向き合うようにして貼り合わせる。図６においては、図４の状態にある第１のシート１２を表裏逆となるように１８０度回転させ、第２のシート２６の裏面側に例えば接着剤を介して接着している。ただし、システムキッチン３２、テーブル３４及び食器棚３６に相当する部分には接着剤を付けず、また第１の溝２４及び第２の溝４４の内側の一部には接着剤を付けず、該溝２４，４４に突出片２２，４２が挿入可能であるようにしてある。
【００２１】
このように第１のシート１２と第２のシート２６とが貼り合わせられた名刺１０において、第１の領域５２と第２の領域５４との境界線、及び第２の領域５４と第３の領域５６との境界線で紙面手前側に直角に折り曲げ、システムキッチン３２、テーブル３４及び食器棚３６を紙面手前側に突出するように展開し、第２の突出片４２を第２の溝４４に挿入すれば図３に示した第２の状態になる。即ち、第１のシート１２の第３の領域５０と第２のシート２６の第３の領域５６とにより底面２８が構成され、第１のシート１２の第１の領域４６と第２のシート２６の第１の領域５２とにより、また第１のシート１２の第２の領域４８と第２のシート２６に第２の領域５４とにより側面３０，３０が構成される。そして、システムキッチン３２、テーブル３４及び食器棚３６が側面３０と底面２８との間で立体的に展開される。
なお、図６においては、紙面に対して凹となるように折り曲げる直線部分を一点鎖線で示し、紙面に対して凸となるように折り曲げる直線部分を二点鎖線で示した。
【００２２】
さらにシステムキッチン３２、テーブル３４及び食器棚３６が内側に収納されるように第３の領域５６を第２の領域５４に合わせ、第１の領域５２を第３の領域５６に合わせ、第１の突出片２２を第１の溝２４に挿入すれば図１及び図２に示した第１の状態になる。
なお、第２の突出片４２は、第１の領域５２と第３の領域５６との間に収納される。
【００２３】
また、第１の状態から第２の状態にするには上記とは逆の作業をすればよく、この実施形態における名刺１０は、第１の状態と第２の状態とに容易に変化させることができるものである。
【００２４】
なお、上記実施形態においては、名刺は住宅リフォーム等を業務内容とする名刺について説明したが、本発明はこれに限定されるものではなく、例えば小売業であれば販売対象となる商品を立体的に展開できるようにしてもよいし、またメーカであれば製造される製品を立体的に展開できるようにしてもよい。
【符号の説明】
【００２５】
１０    名刺
１２    第１のシート
２０    平面状態保持部
２２    第１の突出片
２４    第１の溝
２６    第２のシート
２８    底面
３０    側面
３８    切込み
４０    立体状態保持部
４２    第２の突出片
４４    第２の溝
【図１】
2011031573.tif 000003
【図２】
2011031573.tif 000004
【図３】
2011031573.tif 000005
【図４】
2011031573.tif 000006
【図５】
2011031573.tif 000007
【図６】
2011031573.tif 000008